【事件の表示】
　特許第５９０７２４４号に関する訂正審判事件について、次のとおり審決する。
【結　論】
　特許第５９０７２４４号の明細書、特許請求の範囲を本件審判請求書に添付された訂正明細書、特許請求の範囲のとおり、訂正後の請求項１，２について訂正することを認める。
【理　由】
第１　手続の経緯
　本件特許第５９０７２４４号（以下、「本件特許」という。）は、平成２６年１２月１日に出願され、平成２８年４月１日に特許権の設定の登録がなされ、平成２８年４月２１日に本件審判請求がなされた。
第２　審判請求の趣旨
　本件審判請求の趣旨は、本件特許の明細書、特許請求の範囲を本件審判請求書に添付した訂正明細書、特許請求の範囲のとおり、訂正後の請求項１，２について訂正することを認める、との審決を求めるものである。
第３　訂正の内容
１　訂正事項１
　特許請求の範囲の請求項１の
「前記特別報知制御手段は、前記特別報知の実行を不可とする実行不可状態から、前記特別報知の実行を可能とする実行可能状態に切り換える切換手段と、前記先特定手段により特定された情報に対応した情報を記憶し、当該情報を前記実行不可状態においても記憶保持可能な情報記憶手段と、前記実行可能状態において前記情報記憶手段に記憶されている情報を用いることで前記先特定手段により特定された情報に対応した前記特別報知が実行されるようにし、前記切換手段により前記実行不可状態から前記実行可能状態に切り換えられた場合、当該切り換えられたタイミングにおいて前記情報記憶手段に記憶されている情報を用いて前記特別報知が実行されるようにすることが可能な報知実行手段と、前記特別報知が実行されている状態において、当該特別報知の実行対象となっている前記所定の特別情報とは異なる特別情報に対する前記移行判定の結果が前記移行対応結果となった場合、当該移行対応結果となったことに基づき実行される前記所定遊技状態の前記可変入球制御が開始される前に当該特別報知を終了させる手段と、ていることを特徴とする遊技機。」との記載を、
「前記特別報知制御手段は、前記特別報知の実行を不可とする実行不可状態から、前記特別報知の実行を可能とする実行可能状態に切り換える切換手段と、前記先特定手段により特定された情報に対応した情報を記憶し、当該情報を前記実行不可状態においても記憶保持可能な情報記憶手段と、前記実行可能状態において前記情報記憶手段に記憶されている情報を用いることで前記先特定手段により特定された情報に対応した前記特別報知が実行されるようにし、前記切換手段により前記実行不可状態から前記実行可能状態に切り換えられた場合、当該切り換えられたタイミングにおいて前記情報記憶手段に記憶されている情報を用いて前記特別報知が実行されるようにすることが可能な報知実行手段と、前記特別報知が実行されている状態において、当該特別報知の実行対象となっている前記所定の特別情報とは異なる特別情報に対する前記移行判定の結果が前記移行対応結果となった場合、当該移行対応結果となったことに基づき実行される前記所定遊技状態の前記可変入球制御が開始される前に当該特別報知を終了させる手段と、
を備え
２　訂正事項２
　願書に添付した明細書の段落【０００７】の
「前記特別報知制御手段は、前記特別報知の実行を不可とする実行不可状態から、前記特別報知の実行を可能とする実行可能状態に切り換える切換手段と、前記先特定手段により特定された情報に対応した情報を記憶し、当該情報を前記実行不可状態においても記憶保持可能な情報記憶手段と、前記実行可能状態において前記情報記憶手段に記憶されている情報を用いることで前記先特定手段により特定された情報に対応した前記特別報知が実行されるようにし、前記切換手段により前記実行不可状態から前記実行可能状態に切り換えられた場合、当該切り換えられたタイミングにおいて前記情報記憶手段に記憶されている情報を用いて前記特別報知が実行されるようにすることが可能な報知実行手段と、前記特別報知が実行されている状態において、当該特別報知の実行対象となっている前記所定の特別情報とは異なる特別情報に対する前記移行判定の結果が前記移行対応結果となった場合、当該移行対応結果となったことに基づき実行される前記所定遊技状態の前記可変入球制御が開始される前に当該特別報知を終了させる手段と、ていることを特徴とする。」との記載を、
「前記特別報知制御手段は、前記特別報知の実行を不可とする実行不可状態から、前記特別報知の実行を可能とする実行可能状態に切り換える切換手段と、前記先特定手段により特定された情報に対応した情報を記憶し、当該情報を前記実行不可状態においても記憶保持可能な情報記憶手段と、前記実行可能状態において前記情報記憶手段に記憶されている情報を用いることで前記先特定手段により特定された情報に対応した前記特別報知が実行されるようにし、前記切換手段により前記実行不可状態から前記実行可能状態に切り換えられた場合、当該切り換えられたタイミングにおいて前記情報記憶手段に記憶されている情報を用いて前記特別報知が実行されるようにすることが可能な報知実行手段と、前記特別報知が実行されている状態において、当該特別報知の実行対象となっている前記所定の特別情報とは異なる特別情報に対する前記移行判定の結果が前記移行対応結果となった場合、当該移行対応結果となったことに基づき実行される前記所定遊技状態の前記可変入球制御が開始される前に当該特別報知を終了させる手段と、
を備え
第４　当審の判断
１　訂正事項１について
（１）訂正の目的
　訂正前の請求項１の「前記特別報知制御手段は、・・・当該特別報知を終了させる手段と、ていることを特徴とする遊技機。」との記載は、「〜と、ている」の箇所が不明瞭であった。
　訂正事項１は、訂正前の請求項１に記載された「〜と、ている」を、「〜と、を備えている」に訂正することで、不明瞭な記載を是正しようとするものである。
　よって、訂正事項１は、特許法第１２６条第１項ただし書第３号で規定する明瞭でない記載の釈明を目的とするものである。
（２）新規事項の追加及び特許請求の範囲の拡張又は変更の有無
　本件特許の特許請求の範囲の請求項１の「前記特別報知制御手段は、・・・切換手段と、・・・情報記憶手段と、・・・報知実行手段と、・・・特別報知を終了させる手段と、ていることを特徴とする遊技機。」との記載は、不明瞭な箇所を含むものの、「特別報知制御手段」が、「切換手段」と、「情報記憶手段」と、「報知実行手段」と、「特別報知を終了させる手段」と、を備えていることを意味していることは明らかである。
　したがって、訂正事項１は、本件特許の特許請求の範囲の請求項１に記載された事項に基づくものであるから、訂正事項１は、本件特許明細書、特許請求の範囲、又は図面（以下、「本件特許明細書等」という。）に記載された事項又は記載された事項から自明な事項であり、本件特許明細書等に記載したすべての記載を総合することにより導かれる技術的事項との関係において、新たな技術的事項を導入しないものであるから、本件特許明細書等に記載した事項の範囲内においてなされたものであり、特許法第１２６条第５項の規定に適合する。
　また、訂正事項１は、実質上特許請求の範囲を拡張し、又は変更するものに該当せず、特許法第１２６条第６項の規定に適合する。
２　訂正事項２について
（１）訂正の目的
　訂正事項２は、訂正事項１に整合させるために、本件特許明細書の段落【０００７】を上記のように訂正しようとするものである。
　したがって、訂正事項２は、特許法第１２６条第１項ただし書第３号に規定する明瞭でない記載の釈明を目的とするものである。
（２）新規事項の追加及び特許請求の範囲の拡張又は変更の有無
　訂正事項１と同じ理由により、訂正事項２は、本件特許明細書等に記載した事項の範囲内においてなされたものであり、実質上特許請求の範囲を拡張し、又は変更するものに該当しない。
　したがって、訂正事項２は、特許法第１２６条第５項及び第６項の規定に適合する。
３　一群の請求項について
　訂正前の請求項１、２は、当該訂正事項１を含む訂正前の請求項１の記載を訂正前の請求項２が引用しているものであるから、特許法第１２６条第３項に規定する一群の請求項である。
　したがって、これらに対応する訂正後の請求項１、２も一群の請求項である。
　また、特許明細書の【０００７】に記載されている訂正事項２は、訂正後の請求項１に対応する訂正である。
　したがって、訂正事項２は、一群の請求項である訂正後の請求項１、２に対応するものである。
　よって、本件訂正は、特許法第１２６条第３項及び第４項の規定に適合するものである。
第５　むすび
　以上のとおり、本件審判請求に係る訂正事項１、２は、特許法第１２６条第１項ただし書第３号に掲げる事項を目的とするものであり、かつ同法同条第３項〜第６項の規定に適合するものである。
　よって、結論のとおり審決する。